(57)【要約】      （修正有）【課題】表示部の各針がどの時刻を表示する位置にあるかをマイコンに認識させつつ時刻調整を行うことができるアナログ式電波時計およびその時刻調整方法を提供する。【解決手段】電波受信部３で受信された時刻データに基づく時刻を表示部２０に表示させる時刻調整手段を備えたアナログ式電波時計１が、主動力源７若しくは副動力源８，９から制御部５に電力を供給する動力部１４を備え、主動力源７から制御部５へ供給される電力を検出する検出部１５と、検出部１５により検出された電力に応じて、制御部５への電力の供給源を主動力源７と副動力源８，９との間で切替える動力源切替部６とが設けられ、動力源切替部６により主動力源７から副動力源８，９に電源の供給源を切り替える場合に、表示部２０に予め定めた時刻を表示させて停止させる表示停止手段を備え、表示部２０の各針がどの時刻を表示する位置にあるかをマイコンに認識させつつ時刻調整を行う。【選択図】  図１
2006003294.tif 000002
【特許請求の範囲】
【請求項１】
時刻を通知する時刻データを電波受信部で受信された電波に基づいて取得するとともに、時刻データに基づく時刻を表示部に表示させる時刻調整手段を備えたアナログ式電波時計であって、
主動力源と副動力源とを有して主動力源若しくは副動力源から制御部に電力を供給する動力部を備え、動力部には、主動力源から制御部へ供給される電力を検出する検出部と、検出部により検出された電力に応じて、制御部への電力の供給源を主動力源と副動力源との間で切替える動力源切替部とが設けられ、
動力源切替部により主動力源から副動力源に制御部への電力の供給源を切り替える場合に、表示部に予め定めた時刻を表示させて停止させる表示停止手段を備えてなることを特徴とするアナログ式電波時計。
【請求項２】
時刻データを格納する時刻記憶部と、時間間隔を認識して時刻変化を了知するとともに、時刻記憶部に格納された時刻データを時刻変化に応じて更新する時刻更新手段とを備え、
副動力源は、時刻更新手段による時刻データの更新を継続するために要する電力を蓄えており、
時刻調整手段は、電波受信部より取得された時刻データに基づく時刻を表示部に表示させる前に、時刻更新手段により継続して更新されて時刻記憶部に格納されている時刻データに基づいた時刻を、表示部に表示させるように構成している請求項１記載のアナログ式電波時計。
【請求項３】
時刻データを格納する時刻記憶部と、時間間隔を認識して時刻変化を了知するとともに、時刻記憶部に格納された時刻データを時刻変化に応じて更新する時刻更新手段とを備え、
副動力源は、時刻更新手段による時刻データの更新を継続するために要する電力を蓄えており、
時刻調整手段は、電波受信部による時刻データの取得が規制されているか否かを判定し、電波受信部による時刻データの受信が規制されていると判定する場合には、時刻更新手段により継続して更新されて時刻記憶部に格納されている時刻データに基づいた時刻を、表示部に表示させ、電波受信部による時刻データの受信が規制されていないと判定する場合には、電波受信部により受信された電波に基づき取得された時刻データに基づく時刻を、表示部に表示させるように構成している請求項１又は２記載のアナログ式電波時計。
【請求項４】
検出部が主動力源から供給される電力が予め定めた値を下回ることを検出すると、制御部への電力の供給源が主動力源から副動力源に切替わるとともに表示部は予め定めた時刻を停止表示し、表示部の停止表示後において、検出部が主動力源から提供される電力が予め定めた値以上となることを検出すると、制御部への電力の供給源が副動力源から主動力源に切替わるとともに時刻調整手段は電波受信により受信された電波に基づき取得された時刻データに基づく時刻を表示部に表示させるアナログ式電波時計の時刻調整方法。
【発明の詳細な説明】
【技術分野】
【０００１】
本発明は、標準電波を受信し、受信したデータに基づき時刻調整を行うアナログ式電波時計及びその時刻調整方法に関する。
【背景技術】
【０００２】
アナログ式電波時計は、マイコンによる制御に基づき、標準電波を受信し、受信データより調整された時刻データに応じて、表示部の秒針、分針や時針といった各針を回動運針させる時計本体部を構成しギア等を駆動させるモータに電気パルス信号を送信し、機械的に表示部の各針を回動運針させることにより、時刻データに応じた時刻と表示部に表示される時刻とを一致させる時刻調整を自動的に行うものである。
【０００３】
したがって、アナログ式電波時計では、上記時刻調整時における電気パルス信号の送信の際、マイコンは、表示部の各針により表示されている時刻を正確に認識している必要がある。
そこで、時計本体部を構成する複数のギアを貫通するように孔を設け、その孔にピンを挿入することにより、ギア同士の噛合いが機械的にずれないように相互のギアを固定してなるアナログ式電波時計が従来より知られている。
このアナログ式電波時計は、表示部を回動運針させるギアを機械的に固定し、マイコンの起動の際にピンが外されるまで、表示部を所定の時刻を表示した状態で維持することにより、表示部に実際に表示されている時刻と、表示部に表示されている時刻としてマイコンが認識する時刻との間にずれを生じないようにして、表示部の各針により表示されている時刻をマイコンに正確に認識させようとするものである。
しかし、このアナログ式電波時計では、時刻調整を行うためにピンを外した後において何らかの物理的振動や衝撃を受け、表示部の針位置にずれを生じた場合、マイコンの認識する時刻と各針の位置によって表示される時刻との間に生じたずれの大きさをマイコンに認識させることができないばかりか、その生じたずれの大きさは使用者さえも認識されえず、もはや時刻調整を正確に行うことができないという欠点がある。
【０００４】
そこで、時計本体部のギアに、ギアの支軸廻りにギアと共に回動するように光源受や磁性体などの被検出体を配設し、被検出体に対面する位置に光センサや磁力センサなどの検出体を配設し、検出体からの検出信号によってギアの回転状態を確定するように構成しているアナログ式電波時計が提案されている（特許文献１）。
このアナログ式電波時計は、時刻調整時において、検出体による被検出体の検出信号からギアに配設された被検出体の位置を特定することによってギアの回転状態を確定するとともにギアと連動する各針の運針位置を確定し、マイコンに表示部の各針により表示される時刻を認識させようとするものである。
【０００５】
【特許文献１】特開２００３−４３１６８号公報（第２頁）
【発明の開示】
【発明が解決しようとする課題】
【０００６】
しかしながら、上記したような検出体を設けたアナログ式電子時計では、時計本体部を構成するギアの正確な位置に、被検出体を設ける必要がある。すなわち、分針や時針の回動運針に連動するギアに被検出体を設ける場合、被検出体を設けた位置が僅かにずれるだけでも、１分以上のずれが容易に生じてしまう。したがって、このアナログ式電子時計では、検出体と被検出体を設けるために極精密な技術を要することとなり、製造が容易でないという欠点がある。
しかも、検出体による検出信号からギアの回転状態を正確に割り出すソフトウェアを開発することが必要であるから莫大な開発費用を要し、低コストで製造することができないという欠点がある。
【０００７】
本発明は、低コスト、容易且つ自動で、表示部の各針がどの時刻を表示する位置にあるかをマイコンに認識させつつ時刻調整を行うことができるアナログ式電波時計およびその時刻調整方法を提供することを目的とする。
【課題を解決するための手段】
【０００８】
即ち本発明は、（１）時刻を通知する時刻データを電波受信部で受信された電波に基づいて取得するとともに、時刻データに基づく時刻を表示部に表示させる時刻調整手段を備えたアナログ式電波時計であって、主動力源と副動力源とを有して主動力源若しくは副動力源から制御部に電力を供給する動力部を備え、動力部には、主動力源から制御部へ供給される電力を検出する検出部と、検出部により検出された電力に応じて、制御部への電力の供給源を主動力源と副動力源との間で切替える動力源切替部とが設けられ、動力源切替部により主動力源から副動力源に制御部への電力の供給源を切り替える場合に、表示部に予め定めた時刻を表示させて停止させる表示停止手段を備えてなることを特徴とするアナログ式電波時計、（２）時刻データを格納する時刻記憶部と、時間間隔を認識して時刻変化を了知するとともに、時刻記憶部に格納された時刻データを時刻変化に応じて更新する時刻更新手段とを備え、副動力源は、時刻更新手段による時刻データの更新を継続するために要する電力を蓄えており、時刻調整手段は、電波受信部より取得された時刻データに基づく時刻を表示部に表示させる前に、時刻更新手段により継続して更新されて時刻記憶部に格納されている時刻データに基づいた時刻を、表示部に表示させるように構成している上記（１）記載のアナログ式電波時計、（３）時刻データを格納する時刻記憶部と、時間間隔を認識して時刻変化を了知するとともに、時刻記憶部に格納された時刻データを時刻変化に応じて更新する時刻更新手段とを備え、副動力源は、時刻更新手段による時刻データの更新を継続するために要する電力を蓄えており、時刻調整手段は、電波受信部による時刻データの取得が規制されているか否かを判定し、電波受信部による時刻データの受信が規制されていると判定する場合には、時刻更新手段により継続して更新されて時刻記憶部に格納されている時刻データに基づいた時刻を、表示部に表示させ、電波受信部による時刻データの受信が規制されていないと判定する場合には、電波受信部により受信された電波に基づき取得された時刻データに基づく時刻を、表示部に表示させるように構成している上記（１）又は（２）記載のアナログ式電波時計、（４）検出部が主動力源から供給される電力が予め定めた値を下回ることを検出すると、制御部への電力の供給源が主動力源から副動力源に切替わるとともに表示部は予め定めた時刻を停止表示し、表示部の停止表示後において、検出部が主動力源から提供される電力が予め定めた値以上となることを検出すると、制御部への電力の供給源が副動力源から主動力源に切替わるとともに時刻調整手段は電波受信により受信された電波に基づき取得された時刻データに基づく時刻を表示部に表示させるアナログ式電波時計の時刻調整方法、を要旨とするものである。
【発明の効果】
【０００９】
本発明の電波時計によれば、例えば動力源としての電池の消耗により停止する際、予め所定の時刻を表示して停止するから、容易且つ自動に、表示部の各針がどの時刻を表示する位置にあるかをマイコンに認識させることができ、低コストで時刻調整を行うことができる。
また、本発明の電波時計によれば、時刻更新手段により更新されて時刻記憶部に格納されている時刻データに基づいた時刻を、予め表示部に表示させることができるため、大きく各針を運針させることなく、電波受信部により受信した電波に基づいた時刻調整をすることができる。
そして、本発明の電波時計１によれば、電波受信部３により標準電波が受信されなかった場合であっても、時刻更新手段により更新されて時刻記憶部に格納されている時刻データに基づいた時刻を、表示部２０に表示させることができ、時計として機能させることを保持できる。
【発明を実施するための最良の形態】
【００１０】
本発明のアナログ式電波時計の実施例を、図面を参照して詳細に説明する。
図１は、本発明のアナログ式電波時計（以下、単に電波時計という）の第１実施態様を示す概略構成図である。
電波時計１は、時計本体部２と、時計本体部２に接続している制御部５と、標準電波を受信して受信データを制御部５に送信する電波受信部３と、制御部５に接続して電波時計１の動力源としての電力を供給する動力部１４と、所定の時間間隔を取得する時間計測部１０とからなる。
【００１１】
時計本体部２は、時計盤２０ａに秒針２１、分針２２、時針２３を有する表示部２０と、各針２１、２２、２３をＡ方向に回動運針させる駆動部２４とを備え、駆動部２４には、秒針２１を運針させる第１のモータ（図示しない）及び、時針２３と分針２２を運針させる第２のモータ（図示しない）と、時間経過に応じて時針２２と分針２３を連動させて運針をさせる各種のギア（図示しない）が設けられている。
【００１２】
動力部１４は、電池からなる主動力源７と副動力源８、およびコンデンサからなる副動力源９を備え、主動力源７と副動力源８、９の間で制御部５との接続を切り替えるスイッチ回路からなる動力源切替部６と、主動力源７から制御部５に供給される電力を検出する検出部１５とからなる。主動力源７、副動力源８、９としては、上記した電池やコンデンサの組み合わせに限定されず、蓄電池などを適宜組み合わせて採用することができる。
副動力源８、９の設置数は、本実施例に示すように２つ設けた場合に限定されない。主動力源７や、副動力源８、９の設置数は、電力供給の可能な時間や、制御部５の稼動に必要な電圧の大きさなどを考慮して適宜定められる。
【００１３】
時間計測部１０は、所定周波数のクオーツ振動による信号を発振する発振手段（図示しない）と、クオーツ振動を分周する分周手段（図示しない）とを備えて所定の時間間隔を取得する。例えば、時間計測部１０は、１秒の時間間隔を取得する。
【００１４】
制御部５は、電波時計１の動作を制御するマイコン１１と、マイコン１１で演算処理を行うための各種プログラム等を記憶格納するＲＯＭ１３や、マイコン１１で演算処理したデータなどを記憶格納するＲＡＭ１２などのメモリを備える。
ＲＡＭ１２には、電波時計１の制御部５に供給される電力に応じて表示部２０に停止表示される予め定めた時刻に対応するデータが格納され、またマイコン１１により時刻の経過に応じて逐次形成される時刻データを記憶する時刻記憶部が設けられている。
【００１５】
電波時計１において、マイコン１１は、主動力源７から電力の供給を受け、表示部２０に表示される時刻を次のようにして更新する処理を行う（各針回動運針処理という）（図５）。
電波時計１において、ＲＡＭ１２の時刻記憶部には表示部２０に表示されている時刻と同期した時刻データが格納されており、まずマイコン１１は、この時刻データを呼び出す（Ｓ５０１）。マイコン１１は、時間計測部１０から１秒の時間間隔でカウントを行って時刻データを順次更新して更新時刻データを形成し、更新時刻データを時刻データとしてＲＡＭ１２の時刻記憶部に格納することにより、時刻データを更新する（Ｓ５０２）。そして、電波時計１は、マイコン１１で更新された時刻データに応じて電気パルスを表示部２０に送信して各針２１、２２、２３を回動運針させ、表示部２０に表示される時刻を逐次更新する（Ｓ５０３）。
【００１６】
電波時計１は、主動力源７から電波時計１の制御部５に供給される電力が所定値を下回ると、次のように、表示部２０に予め定めた時刻を停止表示する。
電波時計１において、動力部１４の検出部１５が、主動力源７から制御部５に向かってかかる電圧値（印加電圧値）を検出する。電波時計１は、制御部５に供給される電力が所定値を下回るか否かについて、制御部５への印加電圧値が制御部５の作動に必要な電圧値（稼動電圧値）を下回るか否により識別する（Ｓ２０１）。
動力源切替部６は、例えば主動力源７としての電池の消耗等により、制御部５に供給される電力が所定値を下回る場合、すなわち検出部１５によって検出された電圧値が制御部５の稼動電圧値を下回る場合（Ｓ２０１においてＹｅｓ）、副動力源８、９と制御部５との接続状態を形成することにより、制御部５への電力の供給源を主動力源７から副動力源８、９に切り替える（Ｓ２０２）。
マイコン１１は、副動力源から電力の供給を受け、ＲＡＭ１２より、予め定めた時刻のデータと、副動力源から電力の供給を受ける時点において更新格納されている時刻データを呼び出し、秒についての時間差（Ｔｓ１）と時、分についての時間差（Ｔｍ１）を算出する（Ｓ２０３）。マイコン１１は、時間差Ｔｓ１、Ｔｍ１に基づき、秒針２１を回動運針させるために第１のモータに送信する電気パルスの数（Ｄｓ１）と、分針２２と時針２３を回動運針させるために第２のモータに送信する電気パルスの数（Ｄｍ１）を算出する（Ｓ２０４）。電波時計１は、マイコン１１で算出されたＤｓ１、Ｄｍ１に基づき、駆動部２４の第１のモータ、第２のモータにそれぞれに応じて電気パルスを、夫々所定の速度で送信する（Ｓ２０５）。こうして、電波時計１において、表示部２０の各針２１、２２、２３は、予め定めた時刻に応じた位置まで回動運針して停止する。
【００１７】
したがって、例えば、時刻データが、１１時４８分１０秒の時刻に基づくデータであり予め定めた時刻のデータが、１２時００分００秒の時刻に基づくデータである場合には、Ｔｍ１は、１２分であり、Ｔｓ１は５０秒となる。そして、時針２３と分針２２について、電気パルス1パルスに対して１分が対応するように運針する場合には、１２パルスの電気パルスが送信される。また、秒針２１について、電気パルス２パルスに対して１秒が対応するように運針が行われる場合には、１００パルスの電気パルスが送信される。これらのパルス数の電気パルスは、例えば１秒間に１０パルスの速度で駆動部２４へ送信される。
【００１８】
電波時計１の表示部２０が所定の時刻で停止表示した後において、電波時計の時刻調整処理は、次のようにして行われる（表示停止後処理という。）（図３）。
電波時計１において、動力源切替部６は、例えば主動力源７としての電池の交換等により、主動力源７から制御部５に向けて供給される電力が所定値以上となる場合、すなわち検出部１５によって検出された印加電圧値が制御部５の稼動電圧値以上となる場合（Ｓ３０１においてＹｅｓ）、主動力源７と制御部５との接続状態を形成することにより、制御部５への電力の供給源を副動力源８、９から主動力源７に切り替える（Ｓ３０２）。
【００１９】
また、電波受信部３は、時刻情報を含む標準電波を受信し（Ｓ３０３）、受信された標準電波の時刻（受信時刻）情報に基づき、マイコン１１により時刻データ（受信時刻データ）が形成される。マイコン１１は、受信時刻データを時刻データとして、ＲＡＭ１２の時刻記憶部に格納するとともに、時刻の経過に応じて、ＲＡＭ１２の時刻記憶部に格納された時刻データを更新格納する（Ｓ３０４）。
【００２０】
マイコン１１は、次のようにして表示部２０に表示された時刻を修正する時刻データを調整し、表示部２０に送信する処理を行う（調整時刻表示処理という。）（Ｓ３０５、図４）。
図４は、調整時刻表示処理を示すフローチャートである。
マイコン１１は、主動力源７から電力の供給を受け、ＲＡＭ１２より、表示部２０に表示された予め定めた時刻に対応するデータを呼び出し、予め定めた時刻と受信時刻と間で、秒についての時間差（Ｔｓ２）と時、分についての時間差（Ｔｍ２）を算出する（Ｓ４０１）。マイコン１１は、時間差Ｔｓ２、Ｔｍ２に基づき、秒針２１を回動運針させるために第１のモータに送信する電気パルスの数（Ｄｓ２）と、分針２２と時針２３を回動運針させるために第２のモータに送信する電気パルスの数（Ｄｍ２）を算出する（Ｓ４０２）。電波時計１は、マイコン１１で算出されたＤｓ２、Ｄｍ２に基づき、駆動部２４の第１のモータ、第２のモータにそれぞれに応じて電気パルスを、夫々所定の速度で送信する（Ｓ４０３）。表示部２０の各針２１、２２、２３は、駆動部２４に伝達された電気パルスに応じて回動運針する。これにより、電波時計１は、予め定めた時刻に応じた位置にある各針２１、２２、２３を、受信時刻に応じた位置まで回動運針することができる。
【００２１】
なお、電波時計１では、上記のように時刻調整を行った後、マイコン１１で各針回動運針処理が行われ、更新された時刻データに応じて電気パルスが表示部２０に送信されて各針２１、２２、２３が回動運針し、表示部２０に表示される時刻は逐次更新する（図３、図５）。
【００２２】
本発明の電波時計１は、時刻データを格納する時刻記憶部と、時間間隔を認識して時刻変化を了知するとともに、時刻記憶部に格納された時刻データを時刻変化に応じて更新する時刻更新手段とを備え、副動力源は、時刻更新手段による時刻データの更新を継続するために要する電力を蓄えており、時刻調整手段は、電波受信部より取得された時刻データに基づく時刻を表示部に表示させる前に、時刻更新手段により継続して更新されて時刻記憶部に格納されている時刻データに基づいた時刻を、表示部に表示させるように構成してなるものでもよい（第２実施態様という。）。
【００２３】
この電波時計１において、主動力源７から電力の供給を受け、表示部２０に表示される時刻を更新する動作、及び主動力源７から電波時計１の制御部５に供給される電力が所定値を下回る場合における、表示部２０に予め定めた時刻で停止表示させる動作は、第１実施態様と同様に行われる。
【００２４】
電波時計１の表示停止後処理は、次のようにして行われる（図６）。
電波時計１では、副動力源８及び／又は副動力源９は、時刻更新手段による時刻データの更新を継続するために要する電力を蓄えており、表示部２０が予め定めた時刻を停止表示した後においても、マイコン１１は、副動力源８、９から電力の受給を継続し、時刻データを順次更新した更新時刻データを形成し、更新時刻データを時刻データとしてＲＡＭ１２の時刻記憶部に格納することにより、時刻データの更新を継続する（Ｓ６０１）。
【００２５】
次に、電波時計１において、第１実施態様と同様に、動力源切替部６は、主動力源７から制御部５に向かって供給される印加電圧値が稼動電圧値以上となる場合（Ｓ６０２においてＹｅｓ）、制御部５への電力の供給源を副動力源８、９から主動力源７に切り替える（Ｓ６０３）。
【００２６】
マイコン１１は、次のように調整時刻表示処理を行う（Ｓ６０４、図４）。
マイコン１１は、主動力源７から電力の供給を受け、ＲＡＭ１２より、表示部２０に停止表示された予め定めた時刻に対応するデータと、時刻記憶部に格納されている時刻データを呼び出し、予め定めた時刻と時刻データに基づく時刻と間で、秒についての時間差（Ｔｓ３）と、時、分についての時間差（Ｔｍ３）を算出する（Ｓ４０１）。マイコン１１は、時間差Ｔｓ３、Ｔｍ３に基づき、秒針２１を回動運針させるために第１のモータに送信する電気パルスの数（Ｄｓ３）と、分針２２と時針２３を回動運針させるために第２のモータに送信する電気パルスの数（Ｄｍ３）を算出する（Ｓ４０２）。電波時計１は、マイコン１１で算出されたＤｓ３、Ｄｍ３に基づき、駆動部２４の第１のモータ、第２のモータにそれぞれに応じて電気パルスを、夫々所定の速度で送信する（Ｓ４０３）。表示部２０の各針２１、２２、２３は、駆動部２４に伝達された電気パルスに応じて回動運針する。こうして、この電波時計１は、時刻更新手段により更新されて時刻記憶部に格納されている時刻データに基づいた時刻を、予め表示部２０に表示させる。
【００２７】
電波時計１においては、第１実施態様と同様にして、電波受信部が時刻情報を含む標準電波を受信する（Ｓ６０５）。そして、マイコン１１により受信時刻データが形成され、受信時刻データを時刻データとして、ＲＡＭ１２の時刻記憶部に格納するとともに、時刻の経過に応じて、ＲＡＭ１２の時刻記憶部に格納された時刻データを更新格納する。なお、この時刻データの更新格納は、時刻更新手段により更新されて時刻記憶部に格納されている時刻データに基づいた時刻が表示部２０に表示された後に行われる（Ｓ６０６）。
【００２８】
マイコン１１は、次のように、調整時刻表示処理を更に行う（Ｓ６０７、図４）。
マイコン１１は、主動力源７から電力の供給を受け、予め表示部２０に表示させた時刻記憶部に格納されている時刻データに基づく時刻と、受信時刻との間で、秒についての時間差と時、分についての時間差を算出する（Ｓ４０１）。マイコン１１は、これらの時間差に基づき、第１実施態様と同様にして、駆動部２４の第１のモータ、第２のモータにそれぞれに応じて算出されたパルス数の電気パルスを、夫々所定の速度で送信し（Ｓ４０２、４０３）、各針２１、２２、２３が、受信時刻に応じた位置まで回動運針する。
なお、この電波時計１では、時刻調整の後、第１実施態様と同様に、マイコン１１で各針回動運針処理が行われ、表示部２０に表示される時刻が逐次更新される（図５、図６）。
【００２９】
本発明の電波時計１は、時刻データを格納する時刻記憶部と、時間間隔を認識して時刻変化を了知するとともに、時刻記憶部に格納された時刻データを時刻変化に応じて更新する時刻更新手段とを備え、副動力源は、時刻更新手段による時刻データの更新を継続するために要する電力を蓄えており、時刻調整手段は、電波受信部による時刻データの取得が規制されているか否かを判定し、電波受信部による時刻データの受信が規制されていると判定する場合には、時刻更新手段により継続して更新されて時刻記憶部に格納されている時刻データに基づいた時刻を、表示部に表示させ、電波受信部による時刻データの受信が規制されていないと判定する場合には、電波受信部により受信された電波に基づき取得された時刻データに基づく時刻を、表示部に表示させるように構成してなるものでもよい（第３実施態様という。）。
【００３０】
この電波時計１では、主動力源７から電力の供給を受け、表示部２０に表示される時刻を更新する動作、及び主動力源７から電波時計１の制御部５に供給される印加電圧値が稼動電圧値を下回る場合における、表示部２０に予め定めた時刻で停止表示させる動作は、第１実施態様と同様に行われる。
【００３１】
この電波時計１の表示停止後処理は、次のようにして行われる（図７）。
この電波時計１では、副動力源８及び／又は副動力源９は、時刻更新手段による時刻データの更新を継続するために要する電力を蓄えており、第２実施態様と同様に、表示部２０が予め定めた時刻を停止表示した後においても、マイコン１１により時刻データが順次更新され、ＲＡＭ１２の時刻記憶部に格納される時刻データが更新される（Ｓ７０１）。
【００３２】
次に、電波時計１において、第２実施態様と同様に、動力源切替部６は、主動力源７から制御部５に向かって供給される印加電圧値が稼動電圧値以上となる場合（Ｓ７０２においてＹｅｓ）、制御部５への電力の供給源を副動力源８、９から主動力源７に切り替える（Ｓ７０３）。
【００３３】
さらに電波時計１は、電波受信部３による標準電波を受信を行う（Ｓ７０４）。
マイコン１１は、電波受信部３が時刻情報を含む標準電波を受信したか否か判定する（Ｓ７０５）。
【００３４】
電波時計１において、マイコン１１による標準電波の受信有無についての判定は、例えば次のように実現される。すなわち、マイコン１１が、一定時間以内に電波受信部から標準電波に基づくデータを受け取る場合に、電波受信部３により標準電波が受信されたと判定し、一定時間以内に電波受信部３から標準電波に基づくデータを受け取らない場合に、電波受信部３による標準電波の受信が規制されていると判定することにより、電波受信部３により時刻情報を含む標準電波が受信されたか否かについての判定が実現される。
【００３５】
マイコン１１が、電波受信部３により標準電波が受信されたと判定する場合（Ｓ７０５においてＹｅｓ）、第１実施態様若しくは第２実施態様と同様に、受信された標準電波の時刻情報に基づき、受信時刻データが形成され、マイコン１１は、受信時刻データを時刻データとして、ＲＡＭ１２の時刻記憶部に格納するとともに、時刻データを時刻の経過に応じて更新する（Ｓ７０６）。そして、この電波時計１では、調整時刻表示処理が行われることにより（Ｓ７０７）、表示部２０に表示される時刻の時刻調整がなされる。
【００３６】
マイコン１１が、電波受信部３により標準電波が受信されなかったと判定する場合（Ｓ７０５においてＮｏ）、受信時刻データを時刻データとして更新せずに調整時刻表示処理を行う（Ｓ７０７、図４）。
すなわち、マイコン１１は、ＲＡＭ１２より、表示部２０に表示された予め定めた時刻に対応するデータと、時刻記憶部に格納されている時刻データを呼び出し、予め定めた時刻と時刻データに基づく時刻と間で、秒についての時間差（Ｔｓ４）と、時、分についての時間差（Ｔｍ４）を算出する（Ｓ４０１）。
マイコン１１は、時間差Ｔｓ４、Ｔｍ４に基づき、第１実施態様若しくは第２実施態様と同様にして、第１のモータに送信する電気パルスの数（Ｄｓ４）と、第２のモータに送信する電気パルスの数（Ｄｍ４）を算出する（Ｓ４０２）。さらに、電波時計１は、第１のモータ、第２のモータに、Ｄｓ４、Ｄｍ４に基づいた電気パルスを送り（Ｓ４０３）、表示部２０の各針２１、２２、２３を回動運針させる。こうして、この電波時計１は、電波受信部３により標準電波が受信されなかった場合であっても、時刻更新手段により更新されて時刻記憶部に格納されている時刻データに基づいた時刻を、表示部２０に表示させることにより、表示部２０に表示される時刻の時刻調整がなされる。
【００３７】
そして、この電波時計１では、時刻調整の後、第１実施態様と同様に、マイコン１１により各針回動運針処理が行われ、表示部２０に表示される時刻が逐次更新される（図７、図５）。
【００３８】
なお、本発明の第３実施態様におけるアナログ式電波時計は、調整時刻表示処理にあたり、表示部２０に、予め定めた時刻が停止表示されているように構成しているが、受信時刻データを取得して時刻データとしてＲＡＭ１２に更新格納する前に、表示部２０にＲＡＭ１２に格納されている時刻データに対応する時刻を表示させて、調整時刻表示処理を行うように構成してもよい。
【００３９】
また、本発明の電波時計１においては、アナログ式電波時計の表示部２０として３針備えた実施態様について詳細に説明したが、分針と時針の２針を備えた実施態様であってもよい。
【図面の簡単な説明】
【００４０】
【図１】本発明のアナログ式電波時計を示す概略構成図である。
【図２】本発明のアナログ式電波時計の第１実施態様における表示部の停止表示処理（表示部停止表示処理）を示すフローチャート図である。
【図３】本発明のアナログ式電波時計における表示停止後処理を示すフローチャート図である。
【図４】本発明のアナログ式電波時計における調整時刻表示処理を示すフローチャート図である。
【図５】本発明のアナログ式電波時計における各針回動運針処理を示すフローチャート図である。
【図６】本発明のアナログ式電波時計の第２実施態様における表示部の表示停止後処理を示すフローチャート図である。
【図７】本発明のアナログ式電波時計の第３実施態様における表示部の表示停止後処理を示すフローチャート図である。
【符号の説明】
【００４１】
１    アナログ式電波時計（電波時計）
２    時計本体部
３    電波受信部
５    制御部
６    動力源切替部
７    主動力源
８、９    副動力源
１０    時間計測部
１１    マイコン
１２    ＲＡＭ
１３    ＲＯＭ
１４    動力部
１５    検出部
２０    表示部
２０ａ    時計盤
２１    秒針
２２    分針
２３    時針
Ａ    回動運針方向
【図１】
2006003294.tif 000003
【図２】
2006003294.tif 000004
【図３】
2006003294.tif 000005
【図４】
2006003294.tif 000006
【図５】
2006003294.tif 000007
【図６】
2006003294.tif 000008
【図７】
2006003294.tif 000009